(57)【要約】【課題】針を使わずにゼッケンや名札などの他の物体を衣服の布地などのシート形状物に留めることができ、しかも軽量で着脱容易な留め具を提供する。【解決手段】ゼッケンのホール（Ｈ）を連結手（２２）と保持部口（１２）とにより挟持する。ストッパー口（１３）に体操服の布地とともにストッパー（３）を挿入してストッパー受け（１６）の間に収納する。保持部（２）を略９０度回動させ、ロック突起（１７）と突起受け（２３１）とを係合させる。保持体がゼッケンに連結した状態で、保持体は体操服の布地に固定することが可能になる。
2016111318.tif 000002
【特許請求の範囲】
【請求項１】
シート形状物へ他の物体を留めるための留め具であって、保持体と、前記保持体によって保持されるストッパーとからなり、前記保持体には挿入室が形成され、前記挿入室に挿入された前記ストッパーが、再び前記挿入室の外へ戻らないようにする係止手段を備えたことを特徴とする留め具。 
【発明の詳細な説明】
【技術分野】
【０００１】  本発明は、シート形状物へ他の物体を留めるための留め具に関する。
【背景技術】
【０００２】  背番号などを記した布（以下「ゼッケン」と称す。）や名札などをシート形状物である衣服などの布地に留める際においては、従来、安全ピンが多用されており、例えばゼッケンを使用する陸上競技などでは、オリンピックなどの国際競技においてさえ安全ピンが使用されているのが実情である。【０００３】  安全ピンは軽量で、ほとんどのゼッケンをユニフォームなどに留めることができる点では有用であるものの、「針を刺す」という点においていくつかの難点がある。ユニフォームなど布地に刺すと、その布地を痛めかねず、また不用意に針を人体に刺してしまう危険が伴う。  【０００４】  この点を克服すべく、安全ピンに替わりゼッケンを留めることを主たる目的として開発された特許文献１で提案されている「被服用係止具」がある。【０００５】
【特許文献１】特開２００５−１８９６４７号公報
【発明の開示】
【発明が解決しようとする課題】
【０００６】  ここで提案されている被服用係止具は、画鋲のような形状の取り付け部材と、切溝部と係止爪体とが形成された円盤状の止め具部材とから構成され、取り付け部材のピン体部を被挟持体であるゼッケンと体操服とともに係止部を差し込み、この係止部を被挟持体の布地を介して止め具部材の係止爪体により保持するものである。確かにこの被服用係止具によれば、布地に針を刺すことなくゼッケンを留めることができる。【０００７】  しかしながら、この被服用係止具による保持力は、止め具部材の材質的弾性力に負うものが殆どであり、激しい運動動作によって発生する引っ張りや衝突などによる衝撃による外そうとする力に打ち勝つことは困難で、簡単に外れてしまうことになる。【０００８】  したがって、安全ピンのような針を刺すものではなく、しかも着脱が容易で、且つ装着後においては簡単に外れることが無い留め具が望まれる。【０００９】  そこで本発明は、この課題を解決するために、針を使わずにゼッケンや名札などの他の物体を衣服の布地などのシート形状物に留めることができ、しかも軽量で着脱容易な留め具を提供することを目的とする。
【課題を解決するための手段】
【００１０】  上記目的を達成するため本発明は、シート形状物へ他の物体を留めるための留め具であって、保持体と、前記保持体によって保持されるストッパーとからなり、前記保持体には挿入室が形成され、前記挿入室に挿入された前記ストッパーが、再び前記挿入室の外へ戻らないようにする係止手段を備えるようにした。
【発明の効果】
【００１１】  請求項１の他の物体はゼッケンであり、シート形状物は運動着であると仮定する。例えば、留め具は基部と保持部とから構成される保持体と、ボタン形状のストッパーとからなるようにするようにしたことにより、穴を穿設したゼッケンに保持体を取り付けたのち、保持体とストッパーとによって、運動着の生地の裏表両側から保持できるため、安全ピンのように針を刺すことなく、ゼッケンを運動服に取り付けることができる。
【発明を実施するための最良の形態】
【００１２】  本発明の実施の形態について添付した図面に基づき説明する。ここで図１は本発明に係る一実施形態の保持体の構成を説明する分解斜視図、図２は図１の保持体を反対側から見た分解斜視図、図３は図１のＡ−Ａ線で切断し保持体の保持部の一部断面形状を示す一部切断面図、図４は図３の保持部を略９０度回動させた一部切断面図、図５は保持体の保持部を基部へ取り付ける際の状態を説明する斜視図、図６はストッパーを保持体へ挿入する前の状態を説明する斜視図、図７はストッパーを保持体へ挿入している状態を説明する斜視図、図８はストッパーを保持体へ挿入し終えた状態を説明する斜視図、図９は保持体の保持部を閉じた状態を示す斜視図、図１０は図９の状態を反対側から見た斜視図である。【００１３】本発明に係る一実施形態の留め具においては、シート形状物としての運動着へ、他の物体としてゼッケンを留めるための留め具であって、保持体は基部１と保持部２とから構成され、これらによって保持されるストッパー３は例えばボタン形状の円盤状である。基部１には挿入口１０が形成されている。【００１４】  挿入口１０は、保持部２を連結するための保持部口１２と、ストッパー３を挿入するストッパー口１３とが連結して形成されており、その境界部分は幅が狭くなった狭界部１４となっている。【００１５】  保持部口１２は略円形で、一方、ストッパー口１３は長手方向と短手方向のある略長形で、保持部口１２の全周囲から狭界部１４を経てストッパー口１３に至る部分の周囲は肉薄部１５が形成され、ストッパー口１３は短手方向の両側には、肉薄で円弧状のストッパー受け１６がそれぞれ形成され、それらによって形成される空間がストッパー３を収納する挿入室となる。【００１６】  基部１は一方側である内側１Ａと他方側である外側１Ｂとから定義され、それぞれのストッパー受け１６は外側１Ｂ側が周囲よりも凹んで、内側１Ａがその周囲とほぼ面一である肉薄となっている。【００１７】  保持部２は、断面が略半円形の棒状である保持棒２１と、その一端に略直角に折れ曲がって一体形成され、基部１の保持部口１２に連結する連結手２２と、他端には連結手２２と同じ方向に略直角に折れ曲がって一体形成され、この保持体を取り付けた際に最後にロックするロック手２３と、保持棒２１の長手方向で連結手２２側の更に外側へ張り出した張出手２４が設けられている。【００１８】  連結手２２の断面は、保持棒２１側から端部側へ向かって断面が略円形の根本部分２２１、径が小さくなる径小部分２２２、根本部分２２１とほぼ同じ直径の略円形な先端部分２２３と変化する。【００１９】径小部分２２２の断面は、一対の突起付直線断面部分２２４と、一対の円弧断面部分２２５によって構成された形状であって、突起付直線断面部分２２４の突起部分２２６同士の幅は狭界部１４の幅よりもわずかに大きく、円弧断面部分２２５はその円弧の延長線を突起付直線断面部分２２４の外側へと伸ばすと略円を形成する断面であって、その直径は、保持部口１２の直径よりもわずかに小さく形成されている。  【００２０】  根本部分２２１の直径は、保持部口１２の直径より大きく、先端部分２２３の直径は、保持部口１２の直径より大きく、且つ、肉薄部��５の外周よりもわずかに小さく形成されている。【００２１】  基部１の内側１Ａ面で、且つ、ストッパー口１３側の先端部分には、ロック突起１７が形成され、保持部２のロック手２３の保持棒２１側には、このロック突起１７と係合する突起受け２３１が形成されている。【００２２】  ストッパー３の直径は、それぞれのストッパー受け１６同士の幅よりも小さく、一方のストッパー受け１６から、それに対抗する位置のストッパー口１３の縁までの距離よりも大きいものを使用することが望ましい。すなわち、ストッパー３が最大であった場合、それぞれのストッパー受け１６の内側に一旦収められた後は、ストッパー受け１６からはみ出ることのない大きさであり、ストッパー３が最少であった場合でも、その一端が一方のストッパー受け１６の縁に当たっていても、ストッパー口１３から脱落しない大きさであることを意味する。【００２３】  次に、この保持体によってゼッケン（図示せず）を体操服の布地（図示せず）へ取り付ける方法を説明する。このゼッケンの四隅には予め事務用品で使われるパンチで丸いホール（図示せず）が穿設されている。ここでは便宜上、その一か所についてだけ説明するものとし、四隅は同じ手順で取り付けられる。【００２４】  まず、ゼッケンの下に基部１を長手方向が横になるように且つ内側１Ａが下側になるように配置し、ゼッケンの上に保持部２を長手方向が縦になるように配置する。【００２５】ゼッケンのホールに保持部２の連結手２２を挿入し、根本部分２２１の手前、すなわち径小部分２２２と先端部分２２３とがゼッケンの反対面まで入った状態とし、そのままこの径小部分２２２と先端部分２２３とを基部１のストッパー口１３へと挿入させ、径小部分２２２を狭界部１４側へと移動させる。（図３および５参照）【００２６】  さらに、径小部分２２２を保持部口１２側へ移動させると、突起部分２２６と狭界部１４の先端とが当接して、この移動を妨げるが、さらに力を加えると樹脂の伸縮力によって、この当接を無理やり超えて「カチリ」というクリック音とともに、保持部口１２内へ移動し、逆戻りし難い状態となる。【００２７】  この状態で、ゼッケンＺは、そのホールＨが、連結手２２と保持部口１２との連結部分で挟持されて、ゼッケンＺと保持体とは連結した状態となり外れなくなる。また、張出手２４によって、連結手２２がこれ以上ホールＨへ入ることは妨がれる。尚、便宜上、図６においてのみ「ゼッケンＺ」および「ホールＨ」を示したが、混雑して見えにくくなることから、この図６を参照しつつ、他の図においては、「ゼッケンＺ」および「ホールＨ」は敢えて図示せずに仮想して説明するものとする。【００２８】  次に、ゼッケンが保持体と連結した状態の下に体操服の布地を配置し、さらにその下にストッパー３を配置する。すなわち、体操服の布地を介して、その表裏両側に基部１の内側１Ａとストッパー３とが対峙した状態となる。【００２９】  この状態からストッパー口１３の幅に合わせるようにストッパー３の角度を変化させながら挿入しようとすれば、体操服の布地がストッパー３の周りにまとわりついた状態で、一緒に基部１の外側１Ｂ側へと移動し（図７参照）、移動し終えた時点でストッパー３の角度を���えつつ両方のストッパー受け１６の間に収納させる。（図８参照）【００３０】  最後に、保持部２を略９０度回動させ、ロック突起１７と突起受け２３１とを係合させると、保持体はロック状態となり、ストッパー３も動けなくなる。すなわち、保持体の内側１Ａ側から外側１Ｂ側へと移動したのちは、このロック状態にある限り、再び内側１Ａ側へは戻れなくなる。【００３１】  また、この状態では、円弧断面部分２２５は保持部口１２の直径よりもわずかに小さく形成された円弧であることから、狭界部１４によって妨げられてストッパー口１３方向へと動くことはなく、ロック突起１７と突起受け２３１との係合は解かれることがない。【００３２】  これで、保持体がゼッケンに連結した状態で、保持体は体操服の布地に固定されるため、安全ピンのように針を刺さなくても、ゼッケンを体操服に取り付けることが可能になる。【００３３】  ここで、他の実施形態の一例を示す。  図１１は、この他の実施形態の保持体を開いた状態を説明する斜視図、図１２はこの保持体を閉じた状態を説明する斜視図である。【００３４】  保持体は、２つの保持パーツ５１、５２によって開閉する構造であって、それらの先端には閉じた際にロックするロック機構５３を構成する。【００３５】  使用方法は、上述した最初の実施形態と同様であって、ゼッケンをパーツ５１、５２に取り付けた後に、これらの図の手前側からストッパー４、体操服の生地（図示せず）、保持パーツ５１、５２の順番で配置して、生地と一緒にストッパー６を、保持パーツ５１、５２との間に入れた後に、ロック機構５３によってロックすれば、ゼッケンが体操服に固定される。【００３６】  さらに、本発明の実施のもう一つの実施形態について添付した図面に基づき説明する。ここで図１３は本発明に係る一実施形態の保持体の構成を説明する分解斜視図、図１４は図１３の保持体を反対側から見た分解斜視図、図１５は保持体とストッパーとの相関を示す斜視図、図１６はゼッケンに保持体を取り付け始めた状態を説明する斜視図、図１７は図１６の状態で図１３のＡ−Ａ線で示した切断した断面図、図１８は保持体をゼッケンに固定する動作を図１３のＡ−Ａ線で示した切断して説明する断面図、図１９はストッパーを保持体へ入れた状態を示す斜視図、図２０は保持体をゼッケンに固定した状態を示す斜視図である。【００３７】本発明に係る一実施形態の留め具においては、シート形状物としての運動着へ、他の物体としてゼッケンを留めるための留め具であって、保持体は基部６と係止部７とから構成され、これらによって保持されるストッパー８は例えばボタン形状の円盤状である。【００３８】  基部６の片側には挿入室６０が形成され、基部６のもう一方の側には係止部７を連結するための連結突起６７が形成されている。係止部７には瓢箪型の連結口６７が穿設され、一方の穴が連結突起６７を挿入する略円形の挿入穴７６ａで、それより径が小さい略円形の連結穴７６ｂが連結突起６７を係止するように設けられ、これらの穴は連続して形成され、その境界部分が狭界部７６ｃとなっている。【００３９】  挿入室６０は、一方だけが解放された挿入口６１と、側部にスリット状の摺動口６２とが形成された円筒形状で、この��入口６１から運動着の生地（図示せず）と一緒にストッパー８を挿入させる。挿入口６１の端部には係止部７をロック保持するための係止突起６３が間隔を置いて二つ形成されている。【００４０】  係止部７の一端には、挿入室６０の挿入口６１からストッパー８が出ないようにする係止壁７１が形成され、その内側には、係止部７の係止突起６３の間に入って係止される係止突起７３が形成されている。【００４１】  次に、この保持体によってゼッケン９を体操着の布地（図示せず）へ取り付ける方法を説明する。このゼッケンの四隅には予め事務用品で使われるパンチでゼッケン穴９０が穿設されている。ここでは便宜上、その一か所についてだけ説明するものとし、四隅は同じ手順で取り付けられる。【００４２】  図４に示すように、まず、ゼッケン９の体操着（図示せず）側からゼッケン穴９０に、基部６の連結突起６７を挿入すると、連結突起６７はゼッケン９の反対側から出てくるため、これを係止部７の挿入穴７６ａに挿入することができる。【００４３】  ここで、連結突起６７の形状と連結口７６との相関的形状を、図５と図６を参照して説明する。連結突起６７の頭部６８は円盤状で、その直径は挿入穴７６ａの直径よりもわずかに小さく、連結穴７６ｂよりも僅かに大きく形成されている。また、連結突起６７の根元部６９は頭部６８よりも細く、その断面形状は、円弧部分６９ａと直線部分６９ｂとが組み合わされたトラック形状である。この両円弧部分６９ａ間の直径は、狭界部７６ｃの幅よりも僅かに大きく、連結穴７６ｂよりもわずかに小さい。一方、両直線部分６９ｂ間の幅は、狭界部７６ｃの幅よりも僅かに小さい。【００４４】  したがって、連結当初、挿入穴７６ａに連結突起６７を、その頭部６８から根元部６９までを挿入するが、その際、基部６と係止部７とはほぼ直角の位置関係で挿入する。【００４５】  この位置関係のままであれば、係止部７を移動させると、根元部６９の直線部分６９ｂが狭界部７６ｃを通ることができ、連結穴７６ｂへと移動できる。【００４６】  その後、係止部７を３０度程度回動させると、根元部６９は挿入穴７６ａへは戻れなくなる。【００４７】  この状態で、体操着（図示せず）の内側に配置したストッパー８を、体操着の生地（図示せず）と一緒に、ストッパー８にまとわりつかせたような状態で、図７のように挿入室６０内へと滑り込ませる。【００４８】  最後に係止部７を、基部６と同じ方向になるように回動させることにより、二つの係止突起３の間で係止突起７３が係止され、ロックされる。これにより、基部６と係止部７は連結され、ゼッケン９に固定され、体操着（図示せず）に装着された状態で外れなくなる。【００４９】  この状態から、保持体を外すためには、上記で説明した動作を反対の順番で行うことにより、外すことができる。【００５０】  尚、本発明は以上のような実施形態に限定されるものではない。本発明の特許請求の範囲に記載した事項と実質的に同一の構成を有し、同一の作用効果を奏するものは本発明の技術的範囲に属する。【００５１】第一の実施形態におけるストッパー受け１６で形成されるストッパー３が収納される空間は、第三の実施形態における挿入室６０と、実質的に同じ役目を果たす���のである。
【産業上の利用可能性】
【００５２】  本発明の留め具は、針を使わずにゼッケンや名札などの他の物体を衣服の布地などのシート形状物に留めることができ、生地を傷めることなくゼッケンや名札などを汎用することに大きく貢献するものである。
【図面の簡単な説明】
【００５３】
【図１】本発明に係る一実施形態の保持体の構成を説明する分解斜視図である。
【図２】図１の保持体を反対側から見た分解斜視図である。
【図３】図１のＡ−Ａ線で切断し保持体の保持部の一部断面形状を示す一部切断面図である。
【図４】図３の保持部を略９０度回動させた一部切断面図である。
【図５】保持体の保持部を基部へ取り付ける際の状態を説明する斜視図である。
【図６】ストッパーを保持体へ挿入する前の状態を説明する斜視図である。
【図７】ストッパーを保持体へ挿入している状態を説明する斜視図である。
【図８】ストッパーを保持体へ挿入し終えた状態を説明する斜視図である。
【図９】保持体の保持部を閉じた状態を示す斜視図である。
【図１０】図９の状態を反対側から見た斜視図である。
【図１１】他の実施形態の保持体を開いた状態を説明する斜視図である。
【図１２】この保持体を閉じた状態を説明する斜視図である。
【図１３】本発明に係る一実施形態の保持体の構成を説明する分解斜視図である。
【図１４】図１３の保持体を反対側から見た分解斜視図である。
【図１５】保持体とストッパーとの相関を示す斜視図である。
【図１６】ゼッケンに保持体を取り付け始めた状態を説明する斜視図である。
【図１７】図１６の状態で図１３のＢ−Ｂ線で示した切断した断面図である。
【図１８】保持体をゼッケンに固定する動作を図１３のＢ−Ｂ線で示した切断して説明する断面図である。
【図１９】ストッパーを保持体へ入れた状態を示す斜視図である。
【図２０】保持体をゼッケンに固定した状態を示す斜視図である。
【符号の説明】
【００５４】１…基部、２…保持部、３…ストッパー、１０…挿入口、１２…保持部口、１３…ストッパー口、１４…狭界部、１６…ストッパー受け、２１…保持棒、２２…連結手、２３…ロック手、６…基部、７…係止部、８…ストッパー、６０…挿入室、９…ゼッケン、９０…ゼッケン穴。
【図１】
2016111318.tif 000003
【図２】
2016111318.tif 000004
【図３】
2016111318.tif 000005
【図４】
2016111318.tif 000006
【図５】
2016111318.tif 000007
【図６】
2016111318.tif 000008
【図７】
2016111318.tif 000009
【図８】
2016111318.tif 000010
【図９】
2016111318.tif 000011
【図１０】
2016111318.tif 000012
【図１１】
2016111318.tif 000013
【図１２】
2016111318.tif 000014
【図１３】
2016111318.tif 000015
【図１４】
2016111318.tif 000016
【図１５】
2016111318.tif 000017
【図１６】
2016111318.tif 000018
【図１７】
2016111318.tif 000019
【図１８】
2016111318.tif 000020
【図１９】
2016111318.tif 000021
【図２０】
2016111318.tif 000022
【国際調査報告】
2016111318.tif 000023
2016111318.tif 000024
2016111318.tif 000025
2016111318.tif 000026